(57)【要約】【課題】  刃受けバネを構成している板バネ部材同士が接触することは起こらず、板バネ部材の接触に起因した不都合が生じることを確実に防止できる構成とされたリレー用端子台を提供する。【解決手段】  対向配置して一体化された一対の板バネ部材２，３からなり、これらの板バネ部材２，３同士間に差し込まれた別部品の接続端子を挟持する刃受けバネ１と、これらの刃受けバネ１を収納して保持するバネ収納孔が形成された端子台とを備えてなるものであり、前記板バネ部材２，３の各々は、屈曲されても互い同士が接触し得ない状態として配置されている。このとき、前記一方側の板バネ部材２は前記他方側の板バネ部材３が通り抜け可能な切欠き部４を有しており、前記他方側の板バネ部材３は前記一方側の板バネ部材２に接触し得ない外形を有していることが好ましい。【選択図】  図１
2005149971.tif 000002
【特許請求の範囲】
【請求項１】
対向して配置された一対の板バネ部材間に差し込まれた別部品の接続端子を挟持する刃受けバネと、これらの刃受けバネを収納して保持するバネ収納孔が形成されたボディとを備えるリレー用端子台であって、
一端が前記板バネ部材に電気的に接続し、他端がボディ外部に導出される接続部材を備え、前記一対の板バネは、別部材の差し込みの有無にかかわらず互い同士が接触し得ないように離間されていることを特徴とするリレー用端子台。
【請求項２】
前記板バネ部材の一方側には切欠き部を設け、前記他方側の板バネ部材は前記一方側の板バネ部材に接触しないように切り欠き部を通過可能な外形を有していることを特徴とする請求項１記載のリレー用端子台。
【請求項３】
前記板バネ部材の一方側の切欠き部は中央部に略矩形に設けられ、該板バネ部材が二股状の外形を有していることを特徴とする請求項２記載のリレー用端子台。
【請求項４】
前記板バネ部材の一方側と、前記バネ収納孔の内壁面との間には補助部材が介装されており、かつ、この補助部材によっては、前記一方側の板バネ部材が他方側の板バネ部材と接触しない程度に押圧されていることを特徴とする請求項１記載のリレー用端子台。
【請求項５】
前記板バネ部材の一方側の補助部材は、略Ｃ字形状をなすと共に、回動可能に支軸が設けられていることを特徴とする請求項４記載のリレー用端子台。
【請求項６】
前記板バネ部材の両方側と、前記バネ収納孔の内壁面との間には補助部材がそれぞれ介装されており、かつ、これらの補助部材によっては、前記両方側の板バネ部材が接触しない程度に押圧されていることを特徴とする請求項１記載のリレー用端子台。
【請求項７】
前記補助部材は、略Ｃ字形状をなし、回動可能に支軸が設けられていると共に、下辺は向き合って配置され、互いに噛み合う形状とされていることを特徴とする請求項６記載のリレー用端子台。
【発明の詳細な説明】
【技術分野】
【０００１】
本発明は、リレー用端子台にかかり、さらに詳しくは、これが備える刃受けバネの構造に特徴を有するリレー用端子台に関する。
【背景技術】
【０００２】
電磁リレー（電磁継電器）とは、電磁力によって接点を開閉する機能を有してなる機器の総称であり、リレー用端子台は電磁リレーの接続端子を保持する部材である。その一例としては、図６で組立状態を示し、かつ、図５で分解状態を示すとともに、図４で使用状態を示すようなものがある。すなわち、この電磁リレー端子台は、別部品の接続端子（図示省略）を挟持するための刃受けバネ３１と、これらの刃受けバネ３１を収納して保持する複数のバネ収納孔３２が形成された端子台（ボディ）３３とを備えている。
【０００３】
そして、刃受けバネ３１の各々は、その構造を図７で拡大して示すように、互いに対向して配置された一対の板バネ部材３４，３５から構成されており、これらの板バネ部材３４，３５同士間には、別部品に設けられた雄形の接続端子（図示省略）が差し込まれて保持される。
【０００４】
また、図５中の符号３６は端子板、３７はボルト、３８は座金であり、３９はカバー、４０は止め板、４１はリレーホルダーである。このリレーホルダー４１にてリレー４２が図４に示すごとき保持されるものである。なお、刃受けバネの他の例としては、特許文献１で開示されたようなものがある。
【特許文献１】特開平６−５２９１６号公報
【発明の開示】
【発明が解決しようとする課題】
【０００５】
ところで、前記従来構成とされた刃受けバネ３１にあっては、別部品の接続端子に作用する挟持力を増加させるため、板バネ部材３４，３５を他方側に向かって屈曲させることが実行される。しかしながら、これらを不用意に屈曲させた場合には、図７で示したように、板バネ部材３４，３５の端子接触部３４ａ，３５ａ同士が互いに接触してしまうことが起こる。
【０００６】
そして、端子接触部３４ａ，３５ａ同士が接触していると、さらに板バネ部材３４，３５を屈曲させることにより挟持力を増加させることが不可となる。また、端子接触部３４ａ，３５ａ同士が接触しあっている場合には、板バネ部材３４，３５の外観状態に基づいて別部品の接続端子に作用する刃受けバネ３１の挟持力を判断することができなくなり、その挟持力を管理することが困難となってしまう。
【０００７】
さらに、このような構造であれば、接触しあった板バネ部材３４，３５の端子接触部３４ａ，３５ａ同士間に対して別部品の接続端子が強制的に差し込まれる事態となるため、摩擦に伴う金属粉が発生しやすくなるという不都合も生じる。
【０００８】
本発明はこれらの問題点に鑑みて創案されたものであって、刃受けバネを構成している板バネ部材同士が接触することは起こらず、板バネ部材の接触に起因した不都合が生じることを確実に防止できる構成とされたリレー用端子台の提供を目的としている。
【課題を解決するための手段】
【０００９】
請求項１記載の本発明にかかるリレー用端子台は、対向して配置された一対の板バネ部材間に差し込まれた別部品の接続端子を挟持する刃受けバネと、これらの刃受けバネを収納して保持するバネ収納孔が形成されたボディとを備えるリレー用端子台であって、
一端が前記板バネ部材に電気的に接続し、他端がボディ外部に導出される接続部材を備え、前記一対の板バネは、別部材の差し込みの有無にかかわらず互い同士が接触し得ないように離間されていることを特徴とする。
【００１０】
請求項２記載の本発明にかかるリレー用端子台は請求項１に記載したものであって、前記板バネ部材の一方側には切欠き部を設け、前記他方側の板バネ部材は前記一方側の板バネ部材に接触しないように切り欠き部を通過可能な外形を有している。
【００１１】
請求項３記載の本発明にかかるリレー用端子台は請求項２に記載したものであり、前記板バネ部材の一方側の切欠き部は、中央部に略矩形に設けられて、該板バネ部材が二股状の外形を有している。
【００１２】
請求項４記載の本発明にかかるリレー用端子台は請求項１に記載したものであって、前記板バネ部材の一方側と、前記バネ収納孔の内壁面との間には補助部材が介装されており、かつ、この補助部材によっては、前記一方側の板バネ部材が他方側の板バネ部材と接触しない程度に押圧されている。
【００１３】
請求項５記載の本発明にかかるリレー用端子台は請求項４に記載したものであり、前記板バネ部材の一方側の補助部材は、略Ｃ字形状をなすと共に、回動可能に支軸が設けられている。
【００１４】
請求項６記載の本発明にかかるリレー用端子台は請求項１に記載したものであって、前記板バネ部材の両方側と、前記バネ収納孔の内壁面との間には補助部材がそれぞれ介装されており、かつ、これらの補助部材によっては、前記両方側の板バネ部材が接触しない程度に押圧されている。
【００１５】
請求項７記載の本発明にかかるリレー用端子台は請求項６に記載したものであり、前記補助部材は、略Ｃ字形状をなし、回動可能に支軸が設けられていると共に、下辺は向き合って配置され、互いに噛み合う形状とされている。
【発明の効果】
【００１６】
請求項１に記載したリレー用端子台であれば、刃受けバネを構成する板バネ部材が屈曲されても互い同士が接触し得ない状態として配置されているので、刃受けバネの挟持力を増加させるため、各板バネ部材の端子接触部同士を他方側へと向かって屈曲させた場合でも、これらの端子接触部同士が接触しあうことは起こり得ない。従って、板バネ部材を屈曲させることにより、別部品の接続端子に作用する刃受けバネの挟持力を増加させることが可能となる。
【００１７】
そして、この際においては、接触しあっていない板バネ部材の外観状態を視認して刃受けバネの挟持力を判断することも可能となり、その挟持力を管理することが容易となる。また、板バネ部材同士が接触しあってはいないので、差し込まれた別部品の接続端子と板バネ部材との間における摩擦も小さくなり、その結果として金属粉の発生も少なくて済むという効果が得られる。
【００１８】
請求項２又は請求項３のいずれかに記載したリレー用端子台であれば、刃受けバネが具備している板バネ部材の各々同士を互いに接触し得ない状態で配置することがきわめて容易に行えるという効果が得られる。
【００１９】
請求項４〜請求項６のいずれかに記載したリレー用端子台であれば、挟持力を増加させることが一層容易となる。また、接続端子に作用する刃受けバネの挟持力を判断することが一層容易にできるようになる。
請求項７に記載したリレー用端子台であれば、補助部材が外れることなく刃受けバネを確実に押圧できるので、挟持力を増加させることが一層容易となる。また、接続端子に作用する刃受けバネの挟持力を判断することが一層容易にできるようになる。
【発明を実施するための最良の形態】
【００２０】
刃受けバネを構成する板バネ部材同士が接触しておらず、板バネ部材の接触に起因した不都合が生じることを確実に防止するという目的を、きわめて簡単な構成でもって実現した。
【実施例】
【００２１】
図１ａは本発明の実施例にかかるリレー用端子台が備える刃受けバネの構造を拡大して示す斜視図、図１ｂはその側面図であり、図１ｃはその背面図である。そして、図２ａは第１の変形例にかかる刃受けバネの構造を拡大して示す斜視図、図２ｂはその側面図であり、図３は第２の変形例にかかる刃受けバネの構造を拡大して示す斜視図、図４は組立状態を示す斜視図である。
【００２２】
ところで、本実施例にかかるリレー用端子台の全体構造は、刃受けバネの構造に関する内容を除くと、従来例にかかる電磁リレー端子台の全体構造と基本的に異ならない。従って、ここでは、本実施例にかかる電磁リレー端子台の分解構造の詳細な説明は省略することとする。
【００２３】
すなわち、本発明の実施例にかかるリレー用端子台の使用状態としては、図４に示した従来例にかかるリレー用端子台の使用状態と外観上で全く同一なものとなっている。また、リレー用端子台の分解状態としても、本発明の実施例にかかる刃受けバネと従来例にかかる刃受けバネとの違いがあるところを除いて、図５に示した従来例にかかるリレー用端子台の分解状態と外観上で同一なものとなっている。
【００２４】
本実施例にかかるリレー用端子台は、別部品の接続端子を挿着するための刃受けバネ１と、これらの刃受けバネ１を収納して保持する複数のバネ収納孔が形成されたボディと、端子板，ボルト、座金及びリレーホルダーを備えている。
【００２５】
本発明のリレー用端子台において、端子板，ボルト及び導電性部材等で接続部材を構成し、導電性部材の一端で板バネ部材１に電気的に接続し、他端が端子板に電気的に接続してボディ外部に導出される等にされている。
【００２６】
そして、接続端子をバネ収納孔に挿着すると、電磁リレーは刃受けバネ１により接続端子が固定されると共に、リレーホルダーにより本体部が固定され、電磁リレーと端子台とは一体化し、電磁リレーと端子板等とが電気的に接続する。
【００２７】
また、刃受けバネ１の各々は、図１ａ〜図１ｃのそれぞれで拡大して示すように、互いに対向して配置された一対の板バネ部材２，３から構成されており、これらの板バネ部材２，３によっては、別部品に設けられて差し込まれてきた雄形の電磁リレーの接続端子（図示省略）が保持される。また、この際、刃受けバネ１を構成している板バネ部材２，３の各々は、屈曲されても互い同士が接触し得ない状態として配置されている。
【００２８】
すなわち、これら板バネ部材２，３のうちの一方側、例えば、板バネ部材２は、他方側の板バネ部材３が通り抜け可能な切欠き部４を有する二股状の外形を有し、かつ、側面視略Ｖ字形状を有する平板とされている。これに対し、他方側の板バネ部材３は、切欠き部４の通り抜け時にあっても、板バネ部材２に接触し得ない外形を有し、かつ、側面視略Ｖ字形状を有する平板とされている。従って、別部品の接続端子に対する刃受けバネ１の挟持力を増加させるため、各板バネ部材２，３を他方側へと向かって屈曲させた場合でも、これらの端子接触部２ａ，３ａ同士が接触しあうことは起こらず、必要に応じて板バネ部材２，３を屈曲させることが可能になる。
【００２９】
また、このような構造であれば、接触しあっていない板バネ部材２，３の外観状態を視認し、別部品の接続端子に作用する刃受けバネ１の挟持力を判断することも可能となり、その挟持力を管理することが容易となる。さらに、板バネ部材２，３同士が接触しあっていないため、差し込まれた別部品の接続端子と板バネ部材２，３との間における摩擦も小さくて済むという利点が確保される。
【００３０】
ところで、本実施例においては、刃受けバネ１を構成する一方側の板バネ部材２が切欠き部４を有し、この切欠き部は中央部に略矩形に設けられており、他方側の板バネ部材３が切欠き部４を通り抜け可能な外形を有するとしているが、このような構造に限定されることはない。すなわち、図２ａの斜視図及び図２ｂの側面図で拡大して示す第１の変形例のように、板バネ部材２，３の少なくとも一方側、例えば、板バネ部材３と、ボディに形成されて刃受けバネ１を収納するバネ収納孔の内壁面との間に介装される補助部材１１を用意し、この補助部材１１を介装して板バネ部材３を板バネ部材２とは接触しない程度に押圧する構造としてもよい。
【００３１】
このとき、補助部材１１は側面視略Ｃ字形状を有する樹脂製であり、その下辺の適当箇所には、ボディにより回動自在に支持される支軸１２が突設されている。なお、これらの支軸１２は、ボディに形成されたバネ収納孔の内壁面の適当箇所に設けられた凹部（図示省略）でもって支持される。そこで、この補助部材１１は支軸１２を揺動中心として揺動しながら板バネ部材３を板バネ部材２へと向かって押圧することとなり、その結果、端子接触部２ａ，３ａ同士は接触しないことになる。
【００３２】
さらにまた、図３の斜視図で示す第２の変形例のように、刃受けバネ１を構成する板バネ部材２，３の各々と、バネ収納孔の内壁面との間に補助部材１１を介装し、これらの補助部材１１でもって板バネ部材２，３の双方を他方側に向かって押圧する構造としてもよい。すなわち、この場合にも、補助部材１１は側面視略Ｃ字形状を有する樹脂製であり、また、その下辺の対向する辺は非接触で噛み合うように互いに凹凸が形成されている。そして、その下辺の適当箇所に突設された支軸１２それぞれは、ボディのバネ収納孔の内壁面の適当箇所に設けられた凹部（図示省略）により回動自在に支持されている。その結果、これらの補助部材１１同士はずれることなく、確実に板バネ部材２，３を押圧できる。また、これらの補助部材１１は支軸１２を揺動中心として揺動しながら板バネ部材３を板バネ部材２へと向かって押圧することとなり、その結果、端子接触部２ａ，３ａ同士は接触しないことになる。
【図面の簡単な説明】
【００３３】
【図１】（ａ）は本発明の実施例にかかるリレー用端子台が備える刃受けバネの構造を拡大して示す斜視図、（ｂ）はその側面図であり、（ｃ）はその背面図である。
【図２】（ａ）は第１の変形例にかかる刃受けバネの構造を拡大して示す斜視図であり、（ｂ）はその側面図である。
【図３】第２の変形例にかかる刃受けバネの構造を拡大して示す斜視図である。
【図４】従来例にかかるリレー用端子台の使用状態を示す外観斜視図である。
【図５】従来例にかかるリレー用端子台の分解状態を示す斜視図である。
【図６】従来例にかかるリレー用端子台の組立状態を示す外観斜視図である。
【図７】従来例にかかるリレー用端子台が備える刃受けバネの構造を拡大して示す斜視図である。
【符号の説明】
【００３４】
１    刃受けバネ
２    一方側の板バネ部材
３    他方側の板バネ部材
４    切欠き部
１１    補助部材
【図１】
2005149971.tif 000003
【図２】
2005149971.tif 000004
【図３】
2005149971.tif 000005
【図４】
2005149971.tif 000006
【図５】
2005149971.tif 000007
【図６】
2005149971.tif 000008
【図７】
2005149971.tif 000009